【事件の表示】
　　特許第２７２１２９１号「ツーピースゴルフボール」の特許に対する特許異議の申立てについて、次のとおり決定する。
【結　論】
　訂正を認める。
　特許第２７２１２９１号の特許を維持する。
【理　由】
（１）手続の経緯
　本件特許第２７２１２９１号の発明は、平成４年９月２１日に特許出願され、平成９年１１月２１日にその特許の設定登録がなされ、その後、須田武より特許異議申立がなされ、取消理由通知がなされ、その指定期間内である平成１１年１０月１４日に訂正請求がなされたものである。
（２）訂正の適否
（訂正事項）
　特許第２７２１２９１号の明細書を、訂正請求書に添付された訂正明細書に記載されたとおりの下記イからニの訂正を求めるものである。
イ．明細書の特許請求の範囲の
 「【請求項１】　基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　(1)中心硬度　　　　　　　　　　　：５８〜７３
　　(2)中心から５〜１０ｍｍでの硬度　：６８〜７８
　　(3)中心から１５ｍｍでの硬度　　  ：７６〜８８
　　(4)表面硬度　　　　　　　　　　　：７８〜８８
［硬度分布において、硬度(2)が硬度範囲内で一定で、かつ、誤差が±３であり、その他が(1)＜(2)＜(3)≦(4)なる関係を満足する］
かつ、初荷重１０ｋｇから終荷重１３０ｋｇをかけた時の圧縮変形量２．８〜３．５ｍｍを有し、該カバーが１．５〜２．１ｍｍの厚さを有することを特徴とするツーピースゴルフボール。」（なお、印字制限の関係で、丸数字は()数字で記載する。以下同じ）　　　　を、
  「【請求項１】　基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　(1)中心硬度　　　　　　　　　　　：５８〜７３
　　(2)中心から５〜１０ｍｍでの硬度　：６８〜７８
　　(3)中心から１５ｍｍでの硬度　　  ：７６〜８８
　　(4)表面硬度　　　　　　　　　　　：７８〜８８
［硬度分布において、硬度(2)が硬度範囲内で一定で、かつ、誤差が±３であり、その他が(1)＜(2)＜(3)≦(4)なる関係を満足する］
かつ、初荷重１０ｋｇから終荷重１３０ｋｇをかけた時の圧縮変形量２．８〜３．５ｍｍを有し、該カバーが１．５〜１．９ｍｍの厚さを有することを特徴とするツーピースゴルフボール。」　　　と訂正する。                   
ロ．段落番号【０００５】第３行の「カバー厚みを１．５〜２．１ｍｍ  」とあるを
「カバー厚みを１．５〜１．９ｍｍ  」と訂正する。
ハ．段落番号【０００６】下から第２行の「該カバーが１．５〜２．１ｍｍ の厚さを有する」とあるを「該カバーが１．５〜１．９ｍｍ の厚さを有する 」と訂正する。
ニ．段落番号【００１５】第１行の「厚さ１．５〜２．１ｍｍ のカバー 」とあるを 「厚さ１．５〜１．９ｍｍ のカバー 」と訂正し、下から第２行の「２．１ｍｍを超えると硬く」とあるを「１．９ｍｍを超えると硬く」と訂正する。
（訂正の目的の適否・新規事項の有無、及び拡張・変更の存否）
　上記イの訂正は、カバーの厚さにつき、その厚さを実施例１，２，３記載の１．９ｍｍに限定するものであって、この訂正は、特許請求の範囲の記載の減縮を目的とするものと認められる。
　また、上記ロからニの訂正は、特許請求の範囲の訂正との整合性を図るための発明の詳細な説明の項の訂正であって、明りょうでない記載の釈明を目的とするものである。
　よって、上記イからニの各訂正は、新規事項の追加に該当せず、実質的に特許請求の範囲を拡張又は変更するものではない。
（独立特許要件の判断）
ａ．本件発明
　本件特許請求の範囲の請求項１に係る発明（以下、「本件発明」という。）は、上記訂正請求により訂正された明細書の記載からみて、その特許請求の範囲の請求項１に記載される次のとおりのものである。
「【請求項１】　基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　(1)中心硬度　　　　　　　　　　　：５８〜７３
　　(2)中心から５〜１０ｍｍでの硬度　：６８〜７８
　　(3)中心から１５ｍｍでの硬度　　  ：７６〜８８
　　(4)表面硬度　　　　　　　　　　　：７８〜８８
［硬度分布において、硬度(2)が硬度範囲内で一定で、かつ、誤差が±３であり、その他が(1)＜(2)＜(3)≦(4)なる関係を満足する］
かつ、初荷重１０ｋｇから終荷重１３０ｋｇをかけた時の圧縮変形量２．８〜３．５ｍｍを有し、該カバーが１．５〜１．９ｍｍの厚さを有することを特徴とするツーピースゴルフボール。」　
ｂ．引用例等の記載
　これに対して、当審が通知した取消理由通知で引用した、
ｂ−１．特開昭６０−９０５７５号公報（異議申立人提出の甲第１号証に相当、以下、「刊行物１」という。）には、
「ＪＩＳ−Ｃ型硬度計による硬度表示で中心部が６３〜７２で、中心より５ｍｍのところで７０〜７５、中心より１０ｍｍのところで７３〜７７、中心より１５ｍｍのところで７８〜８２、外側部分が７８〜８３の硬度分布を有するソリッドコアを、下記３種類のアイオノマー樹脂（アイオノマー樹脂（Ａ）、アイオノマー樹脂（Ｂ）、アイオノマー樹脂（Ｃ））の混合物を主成分とするカバーで被覆したことを特徴とするツーピースゴルフボール。」（特許請求の範囲）、および、「参考例１〜２　第１表に示す組成のコア用組成物をモールド中で加硫し、直径３７．１ｍｍの２種類のスモールサイズボール用ソリッドコア‥‥‥中略‥‥‥ソリッドコアのＪＩＳ−Ｃ型硬度計による硬度分布を第２表に示す。‥‥‥中略‥‥‥実施例１および比較例１〜５　前記のように硬度分布の異なるコアに第４表に示す組成からなるカバー用組成物をインジェクション成形によって被覆し、直径４１．３ｍｍのスモールサイズツーピースゴルフボールを得た。得られたゴルフボールの特性を第４表に示す。」（第４頁右欄６行〜第６頁右欄９行）が記載されており、後者を要約すると、第４頁の第１表にシス−１，４−ポリブタジエン等からなるコア用組成物の組成一覧が、同第２表に参考例のスモールサイズボール用ソリッドコアのコア中心から表面に至る硬度分布とコンプレッションのデータ一覧が、また、第６頁の第４表に実施例１および比較例１から５として、スモールサイズボール用ソリッドコアにカバー用のアイオノマー樹脂をインジェクション成形して被覆してなる直径４１．３ｍｍのスモールサイズのツーピースゴルフボールの特性を示すデータの一覧が明記されており、カバーの厚さが２．１ｍｍになることが開示されている。
ｂ−２．特公昭６１−２１４２６号公報（異議申立人提出の甲第２号証に相当、以下、「刊行物２」という。）には、
「１　１，４−シス−ポリブタジエンゴムをゴム成分とする組成物から形成され、ＪＩＳ−Ｃ形硬度計で表層が７２〜７８、表層から中心に向かって５ｍｍ内側で７７〜８３、さらに５ｍｍ内側で７２〜８０、さらに５ｍｍ内側で６７〜７５、さらに内側が７５以下の硬度分布を持つソリッドコアーをカバーで被覆してなるツーピースソリッドゴルフボール。」（特許請求の範囲）、および、「実施例１〜２および比較例１〜４　第１表に示す組成のコアー用組成物をモールド中で加硫（加熱加圧成形）して直径３７．１ｍｍの６種類のソリッドコアーを得た。‥‥‥中略‥‥‥、ツーピースソリッドゴルフボールの物性値を第２表に示す。‥‥‥中略‥‥‥、第２表に示すように実施例１および２のボール‥‥‥中略‥‥‥実施例３および比較例５〜６　第３表に示す組成のコアー用組成物（コアー用組成物No．３）をモールド中で加硫して直径３８．２ｍｍのソリッドコアーを得た。‥‥‥中略‥‥‥第４表に示す組成のカバーで‥‥‥直径４２．８ｍｍのツーピースソリッドゴルフボールを得た。」（第２頁４欄６行〜第３頁６欄３２行）が記載されており、後者を要約すると、第２頁の、第１表にコアー用組成物１，２の例があり、これから加硫成形して直径３７．１ｍｍの６種類のソリッドコアーを得ることや、同第３頁にかけての第２表に、これらのコアーをカバー樹脂で被覆して加圧成形した直径４１．３ｍｍの実施例１，２と比較例１，２，３，４のツーピースソリッドゴルフボールの、中心部から表層に至るコアー硬度分布や特性値（物性値）が一覧表で明記されており、カバー厚さが２．１ｍｍと２．３ｍｍのゴルフボールが開示されている。
ｃ．対比、判断
　本件発明と刊行物１に記載のものとを対比すると、刊行物１記載の「第１表に示す組成のコア用組成物をモールド中で加硫成形してなるソリッドコア」、「アイオノマー樹脂の混合物を主成分とするカバーで被覆したツーピースゴルフボール」、及び「実施例１記載の、ＪＩＳ−Ｃ型硬度計による硬度表示で中心部が７０で、中心より５ｍｍのところで７３、中心より１０ｍｍのところで７５、中心より１５ｍｍのところで８１、外側部分が８１の硬度を分布を有するソリッドコア」、は、それぞれ本件発明の「基剤ゴム、共架橋剤および有機過酸化物を含有するゴム組成物から形成されたコア」、「コアとカバーとからなるツーピースゴルフボール」、及び「該コアがＪＩＳ−Ｃ型硬度計による表示において以下の硬度分布を有し、
　　(1)中心硬度　　　　　　　　　　　：５８〜７３
　　(2)中心から５〜１０ｍｍでの硬度　：６８〜７８
　　(3)中心から１５ｍｍでの硬度　　  ：７６〜８８
　　(4)表面硬度　　　　　　　　　　　：７８〜８８
［硬度分布において、硬度(2)が硬度範囲内で一定で、かつ、誤差が±３であり、その他が(1)＜(2)＜(3)≦(4)なる関係を満足する］」、に相当する
ものであり、また、当審の審尋に対して異議申立人が提出した回答書によれば、初荷重１０ｋｇから終荷重１３０ｋｇをかけた時の圧縮変形量も３．２〜３．４ｍｍを有するものと認められるから、両者は
「　基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　(1)中心硬度　　　　　　　　　　　：５８〜７３
　　(2)中心から５〜１０ｍｍでの硬度　：６８〜７８
　　(3)中心から１５ｍｍでの硬度　　  ：７６〜８８
　　(4)表面硬度　　　　　　　　　　　：７８〜８８
［硬度分布において、硬度(2)が硬度範囲内で一定で、かつ、誤差が±３であり、その他が(1)＜(2)＜(3)≦(4)なる関係を満足する］
かつ、初荷重１０ｋｇから終荷重１３０ｋｇをかけた時の圧縮変形量２．８〜３．５ｍｍを有することを特徴とするツーピースゴルフボール。」であること、で一致し、
　本件発明のゴルフボールでは、カバー厚さが１．５〜１．９ｍｍであるのに対して、刊行物１に記載された発明のものは、カバー厚さが２．１ｍｍである点で相違している。
　相違点について検討する。
　ツーピースゴルフボールにおいては、コアの径とカバーの厚さは重要な技術事項であるから、上記の両者の相違は単なる設計的微差（事項）とすることができない。
　したがって、本件発明が、刊行物１に記載された発明であるとすることができない。
　刊行物２に記載されたものも、カバー厚さは、２．１ｍｍまたは２．３ｍｍのものであるから、同様に、本件発明が、刊行物２に記載された発明であるとすることもできない。
ｄ．むすび
　したがって、本件発明は、特許出願の際、独立して特許を受けることができないものとすることはできない。
　以上のとおりであるから、上記訂正は、特許法第１２０条の４第２項及び同条第３項において準用する第１２６条第２〜４項の規定に適合するので、当該訂正を認める。
（３）特許異議申立について
（本件発明）
　本件特許第２７２１２９１号の発明は、本件明細書につき平成１１年１０月１４日付け訂正請求がなされ、その訂正請求どおり訂正された明細書の特許請求の範囲第１項に記載されるとおりのものである。
（特許異議申立の概要）
　特許異議申立人は、本件発明は、甲第１号証（前記刊行物１）および、甲第２号証（同刊行物２）に実質的に記載されている発明であるから、特許法第２９条第１項第３号の規定に該当し、特許を受けることができないものであり、同法第１１３条第１項第２号の規定により取り消されるべきものであると、主張する。
（判断）
　本件発明は、前記（２）訂正の適否の（独立特許要件の判断）の項で示したとおり、甲第１号証および甲第２号証に記載された発明であるとはいえない。
（４）むすび
　以上のとおりであり、特許異議申立の理由及び証拠によっては、本件発明の特許を取り消すことができない。
　また、他に本件発明の特許を取り消すべき理由を発見しない。
　よって、結論のとおり決定する。
【異議決定日】
平成１２年３月３０日（２０００．３．３０）
【訂正の要旨】
　訂正の内容は全文訂正明細書として提出するが、訂正の内容を出願時の明細書の段落番号で以下に記載する。
　１）特許明細書中の
「【請求項１】　基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　▲１▼中心硬度　　　　　　　　　　：５８〜７３
　　▲２▼中心から５〜１０ｍｍでの硬度：６８〜７８
　　▲３▼中心から１５ｍｍでの硬度　　：７６〜８８
　　▲４▼表面硬度　　　　　　　　　　：７８〜８８
［硬度分布において、硬度▲２▼が硬度範囲内で一定で、かつ、誤差が±３であり、その他が▲１▼＜▲２▼＜▲３▼≦▲４▼なる関係を満足する］
かつ、初荷重１０ｋｇから終荷重１３０ｋｇをかけた時の圧縮変形量２．８〜３．５ｍｍを有し、該カバーが１．５〜２．１ｍｍの厚さを有することを特徴とするツーピースゴルフボール。」
を、特許請求の範囲の減縮を目的として、
「【請求項１】　基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　▲１▼中心硬度　　　　　　　　　　：５８〜７３
　　▲２▼中心から５〜１０ｍｍでの硬度：６８〜７８
　　▲３▼中心から１５ｍｍでの硬度　　：７６〜８８
　　▲４▼表面硬度　　　　　　　　　　：７８〜８８
［硬度分布において、硬度▲２▼が硬度範囲内で一定で、かつ、誤差が±３であり、その他が▲１▼＜▲２▼＜▲３▼≦▲４▼なる関係を満足する］
かつ、初荷重１０ｋｇから終荷重１３０ｋｇをかけた時の圧縮変形量２．８〜３．５ｍｍを有し、該カバーが１．５〜
１．９
と訂正する。
　　　この訂正は明細書中の段落番号【００２１】の表１中の実施例１〜３のカバー厚さの記載を根拠とする。
　以下の訂正内容はすべて上記１）の特許請求の範囲の訂正との整合性を図るためのものであり、上記１）と同様に明細書中の段落番号【００２１】の表１中の実施例１〜３のカバー厚さの記載を根拠とする。
　２）段落番号【０００５】第３行の「カバー厚みを１．５〜２．１ｍｍ」とあるを「カバー厚みを１．５〜
１．９
　３）段落番号【０００６】下から第２行の「該カバーが１．５〜２．１ｍｍの厚さを有する」とあるを該カバーが１．５〜
１．９
　４）段落番号【００１５】第１行の「厚さ１．５〜２．１ｍｍのカバー」とあるを厚さ１．５〜
１．９
１．９
（５４）【発明の名称】
ツーピースゴルフボール
（５７）【特許請求の範囲】
　　【請求項１】　基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　▲１▼中心硬度　　　　　　　　　　：５８〜７３
　　▲２▼中心から５〜１０ｍｍでの硬度：６８〜７８
　　▲３▼中心から１５ｍｍでの硬度　　：７６〜８８
　　▲４▼表面硬度　　　　　　　　　　：７８〜８８
［硬度分布において、硬度▲２▼が硬度範囲内で一定で、かつ、誤差が±３であり、その他が▲１▼＜▲２▼＜▲３▼≦▲４▼なる関係を満足する］
かつ、初荷重１０ｋｇから終荷重１３０ｋｇをかけた時の圧縮変形量２．８〜３．５ｍｍを有し、該カバーが１．５〜
１．９
【発明の詳細な説明】
　　　【０００１】
　　【産業上の利用分野】
　本発明は、ツーピースゴルフボール、さらに詳しくは打球感に優れたツーピースゴルフボールに関する。
　　　【０００２】
　　【従来の技術】
　ツーピースゴルフボールは、優れた飛行性能のために広く受け入れられている。しかし打球感（フィーリング）は、糸巻きゴルフボールに比べて硬く、特にミスショット時にはより硬い感触を与えるという問題があり、フィーリングの優れたツーピースゴルフボールが望まれている。
　　　【０００３】
　最近、この打球感を糸巻きゴルフボールのそれに近づけるために種々の努力がなされている。例えば、ツーピースゴルフボールのコアを柔らかくしてボール全体の硬度を柔らかくし、打球感を改善しようとするものである。しかし、この方法で得られたゴルフボールは、柔らかさがあるものの重い感じがあり、必ずしも糸巻きゴルフボールに近い感触とは言い難い。また、硬度分布および圧縮強度からみて衝撃力が大きく、フィーリングが未だ十分でない。（特開昭６３−２２０８８９）
　　　【０００４】
　　【発明が解決しようとする課題】
　本発明ではツーピースゴルフボールのコアの特性およびカバーの厚みをコントロールすることにより、糸巻きゴルフボールにより近い打球感を有するツーピースゴルフボールを提供する。
　　　【０００５】
　本発明者らは、ツーピースゴルフボールにおいて、コアの硬度分布、圧縮強度およびカバーの厚みに着目し、種々研究を重ねた。その結果、コアの硬度分布を外剛内柔にし、コアの圧縮強度を調整し、カバー厚みを１．５〜
１．９
　　　【０００６】
　　【課題を解決するための手段】
　すなわち、本発明は、基剤ゴム、共架橋剤および有機過酸化物を含有するゴム組成物から形成されたコアと、カバーとからなるツーピースゴルフボールにおいて、該コアがＪＩＳ−Ｃ型硬度計による表示において以下の硬度分布を有し、
　　▲１▼中心硬度　　　　　　　　　　：５８〜７３
　　▲２▼中心から５〜１０ｍｍでの硬度：６８〜７８
　　▲３▼中心から１５ｍｍでの硬度　　：７６〜８８
　　▲４▼表面硬度　　　　　　　　　　：７８〜８８
［硬度分布において、硬度▲２▼が硬度範囲内で一定で、かつ、誤差が±３であり、その他が▲１▼＜▲２▼＜▲３▼≦▲４▼なる関係を満足する］
かつ、初荷重１０ｋｇから終荷重１３０ｋｇをかけた時の圧縮変形量２．８〜３．５ｍｍを有し、該カバーが１．５〜
１．９
　　　【０００７】
　本発明に用いる基材ゴムとしては、従来からツーピースコアに用いられている天然ゴムおよび／または合成ゴムを使用することができる。特に、シス構造を少なくとも４０％以上有するシス−１，４−ポリブタジェンゴムが好ましく、所望により、前記ポリブタジェンゴムに天然ゴム、ポリイソプレンゴム、スチレンブタジエンゴム、ＥＰＤＭ等を適宜配合してもよい。
　　　【０００８】
　共架橋剤は特に限定するものではなく、例えば、不飽和カルボン酸の金属塩、特に炭素数３〜８のもの（例えばアクリル酸、メタクリル酸等）の一価または二価の金属塩が挙げられるが、アクリル酸亜鉛が特に好ましい。共架橋剤の配合量は基材ゴム１００重量部に対して２０〜３５重量部、好ましくは２５〜３２重量部である。２０重量部より少ないと、ボールの硬度が不足し、重くて悪いフィーリングとなり、耐久性も悪くなる。３５重量部を越えると硬くなり過ぎて悪いフィーリングとなる。
　　　【０００９】
　有機過酸化物としては、ジクミルパーオキサイド、ジ−ｔ−ブチルパーオキサイドが挙げられるが、ジクミルパーオキサイドが特に好ましい。その配合量は基材ゴム１００重量部に対して０．５〜５．０重量部、好ましくは１．０〜３．０重量部である。０．５重量部より少ないとボールの硬度が不足し、重くて悪いフィーリングとなり、５．０重量部を越えると硬くなりすぎて悪いフィーリングとなる。
　　　【００１０】
　本発明のゴルフボールに用いるゴム組成物には、必要に応じて、充填剤、酸化防止剤等の添加物を配合してもよい。充填剤の例としては、酸化亜鉛、硫酸バリウム等が一般的であり、その配合量はカバーおよびコアの比重、大きさ等に左右され、特に限定的ではないが、通常、基材ゴム１００重量部に対して１０〜４０重量部である。
　　　【００１１】
　前記ゴム組成物を十分に混練し、型内で加硫成形することによりツーピースゴルフボール用コアが形成される。混練条件及び加硫条件は当業者に公知であるが、例えば加硫は通常１４０〜１８０℃の温度で１５〜５５分間行なわれる。
　　　【００１２】
　本発明のゴルフボールのコアは、その硬度分布が、ＪＩＳ−Ｃ型硬度計による表示において、▲１▼中心で５８〜７３、▲２▼中心から５〜１０ｍ／ｍの間で６８〜７８で、▲３▼中心から１５ｍ／ｍで７６〜８８、▲４▼表面で７８〜８８の条件を満たすのが好ましい。特に、硬度▲２▼は硬度にばらつきがなく一定で誤差は±３以内である。このように硬度分布を特定する技術は特開昭６０−９０５７５号公報に記載されている。
　　　【００１３】
　硬度分布が前記範囲より低い場合、耐久性が低下し、また、柔らかすぎて重いフィーリングとなる。硬度が前記範囲より高い場合、打撃時の衝撃が大きくて悪いフィーリングとなる。硬度分布がコア表面ほど高くなる場合、衝撃力が大きく、ソフトなフィーリングに劣り、本発明におけるように平坦部をもつ硬度分布では、衝撃力が小さく、ソフトなフィーリングのものが得られ、また、耐久性もよい。
　　　【００１４】
　また、該コアに初荷重１０ｋｇから終荷重１３０ｋｇをかけた時の圧縮変形量が２．８〜３．５ｍｍであることが必要である。この圧縮変形量は主に前記不飽和カルボン酸の金属塩の配合量によりコントロールすることができるが、他の薬品の配合量および加硫条件等によってもコントロールできる。いずれの方法でコントロールしたとしても、コアの変形量が３．５ｍ／ｍを越えると、反擾係数が低下し飛行性能が劣る。基本的には、ボールが柔らかすぎて、重く、たよりのないフィーリングとなり、耐久性も低い。逆に変形量が２．８ｍｍよりも小さい場合には硬く、悪いフィーリングとなる。
　　　【００１５】
　かくして得られたゴルフボールのコアに厚さ１．５〜
１．９
１．９
　　　【００１６】
　本発明では、カバーの曲げ剛性率を３０００〜４５００ｋｇ／ｃｍ２に設定するのが好ましい。３０００ｋｇ／ｃｍ２より小さい場合はカバーが柔らかくなり、スピンがかかりやすくなり、また、フィーリング面でも柔らかく、重く、たよりのないものとなる。逆に４５００ｋｇ／ｃｍ２を越えると硬く、重いフィーリングとなる。
　　　【００１７】
　アイオノマー樹脂をカバーに被覆する方法は公知であり、一般的には射出成型を用いて行なわれる。
　　　【００１８】
　　【実施例】
　つぎに、本発明を実施例により詳細に説明する。本発明はこれらの実施例に限定されるものではない。
　実施例１〜３および比較例１〜４
　表１に示すコア配合を混練してゴム組成物を得た。このゴム組成物を型内で表１に示す条件で加硫成形した。得られたコアの硬度分布および圧縮強度を表１に示す。
　　　【００１９】
　表１に示すカバーの配合で常法により得たカバーを前記コアに被覆した。その時のカバーの曲げ剛性および厚さを表１に示す。
　　　【００２０】
　得られたツーピースゴルフボールの硬度（ＰＡＧ表示）、耐久性指数、反撥係数、打出角、スピン、キャリー等の飛行特性、およびフィーリング評価を表２に示す。
　　　【００２１】
　【表１】
　　　【００２２】
１．アイオノマー樹脂１００重量部に対し、酸化チタン（ＴｉＯ２）を２重量部加えて、押出機によりカラーリングしてカバー用組成物を調製した。
２．曲げ剛性：東洋精機社製スティフネステスターにより測定した。測定サンプルは、プレス成形にて平板を作成し、プレス後、２３℃、湿度５０％で２週間放置した後に測定した。
　　　【００２３】　
　【表２】
　　　【００２４】
１．耐久性指数：実施例１の耐衝撃回数を１００として示す。なお、耐衝撃回数は、ゴルフボール打撃試験機（ツルーテンパ一社製スイングロボット）で、ボールを４５ｍ／ｓの速度で打ち出し、破壊が生じるまでの回数を示す。
２．４５ｍ／ｓＷ１フライト（飛行特性）：前記ゴルフボール打撃試験機を用い、ボールをＷ１（ウッド１番クラブ）で４５ｍ／ｓにてテストを行った時の値を示す。
　　　【００２５】
　表１および表２の結果から明らかなように、実施例１および２のボールは、軽くソフトで、フィーリングが良く、糸巻きボールにより近い。また、耐久性、飛行性能共に良好である。
　比較例１のボールは、コア圧縮強度が小さく（２．６ｍ／ｍ）、ボールの硬度が高く、硬くて悪いフィーリングである。
　比較例２のボールは、コア圧縮強度が大きく（３．７ｍ／ｍ）、ボールの硬度が低く、柔らかすぎて重く、たよりのない悪いフィーリングである。また、耐久性は低い。
　比較例３のボールは、カバーが厚いため、硬くて悪いフィーリングである。
　比較例４のボールは、カバーが薄く、ワンピースボールの感触に近づき、柔らかくて重いフィーリングである。また、スピンがかかりやすくなり、フライト性能に劣り、耐久性も悪い。
　　　【００２６】
　　【発明の効果】
　本発明のツーピースゴルフボールは、その打球感が糸巻きゴルフボールの感覚に近く、しかもその飛行性能はツーピースボール本来の性能を有しており、ゴルフボールとしては飛行性能および打球感共に優れたものである。